(57)【要約】【課題】光伝送の品質を向上させること。【解決手段】光送信装置１００は、ＬＤ１１０ａと、ＬＤ１１０ｂと、位相変調器１４０ａと、位相変調器１４０ｂと、偏波多重器１６０と、を備えている。位相変調器１４０ａは、ＬＤ１１０ａによって生成された光を位相変調する。位相変調器１４０ｂは、ＬＤ１１０ｂによって生成された光を位相変調する。光受信装置２００は、光送信装置１００から送信された信号光を偏波分離し、偏波分離した各信号に対して、位相推定を含むデジタルコヒーレント受信を行う。【選択図】図１
2010251851.tif 000002
【特許請求の範囲】
【請求項１】
光送信装置および光受信装置を備え、
前記光送信装置は、
第一光源および第二光源と、
前記第一光源からの光を変調する第一位相変調器と、
前記第二光源からの光を変調する第二位相変調器と、
前記第一位相変調器および前記第二位相変調器からの各出力光を偏波多重した信号光を出力する偏波多重器と、を備え、
前記光受信装置は、
局発部と、
前記光送信装置から送信された前記信号光を偏波分離する偏波分離器と、
前記第一位相変調器と前記第二位相変調器にそれぞれ対応する第一デジタルコヒーレント受信機および第二デジタルコヒーレント受信機と、を備え、
前記第一デジタルコヒーレント受信機および前記第二デジタルコヒーレント受信機は、
前記局発部からの光と前記偏波分離器により偏波分離された信号光とを混合することにより実部と虚部の電気信号を出力するフロントエンドと、
前記フロントエンドが出力する実部と虚部の電気信号をデジタル信号に変換するアナログデジタル変換部と、
前記デジタル信号について位相推定を行って信号を取り出すデジタル信号処理部と、
を備えることを特徴とする光伝送システム。
【請求項２】
前記光送信装置は、
前記第一光源の出力光の波長を一定に制御する第一波長ロッカと、
前記第二光源の出力光の波長を一定に制御する第二波長ロッカと、
を備えることを特徴とする請求項１に記載の光伝送システム。
【請求項３】
前記光送信装置は、
前記第一位相変調器の出力光のパワーをモニタする第一パワーモニタと、
前記第二位相変調器の出力光のパワーをモニタする第二パワーモニタと、
前記第一パワーモニタによってモニタされたパワーに基づいて前記第一光源の出力光のパワーを制御する第一パワー制御部と、
前記第二パワーモニタによってモニタされたパワーに基づいて前記第二光源の出力光のパワーを制御する第二パワー制御部と、
を備えることを特徴とする請求項１または２に記載の光伝送システム。
【請求項４】
前記第一デジタルコヒーレント受信機および前記第二デジタルコヒーレント受信機のそれぞれは、前記局発部からの光と前記偏波分離された信号光との周波数ずれを算出し、
前記光受信装置は、前記第一デジタルコヒーレント受信機および前記第二デジタルコヒーレント受信機によって算出された各周波数ずれに基づいて前記局発部からの光の周波数を制御することを特徴とする請求項１〜３のいずれか一つに記載の光伝送システム。
【請求項５】
前記第一デジタルコヒーレント受信機および前記第二デジタルコヒーレント受信機のそれぞれは、前記偏波分離された信号光の品質を測定し、
前記光受信装置は、前記第一デジタルコヒーレント受信機および前記第二デジタルコヒーレント受信機によって測定された各品質の和が大きくなるように前記局発部からの光の周波数を制御することを特徴とする請求項１〜３のいずれか一つに記載の光伝送システム。
【請求項６】
前記第一デジタルコヒーレント受信機および前記第二デジタルコヒーレント受信機のそれぞれは、前記偏波分離された信号光の品質を測定し、
前記光受信装置は、前記第一デジタルコヒーレント受信機および前記第二デジタルコヒーレント受信機によって測定された各品質の差分が小さくなるように前記局発部からの光の周波数を制御することを特徴とする請求項１〜３のいずれか一つに記載の光伝送システム。
【請求項７】
前記光受信装置は、前記光受信装置へ送信する信号光をＲＺ（Ｒｅｔｕｒｎ  ｔｏ  Ｚｅｒｏ）パルス化する変調器を備えることを特徴とする請求項１〜５のいずれか一つに記載の光伝送システム。
【発明の詳細な説明】
【技術分野】
【０００１】
この発明は、信号光を伝送する光伝送システムに関する。
【背景技術】
【０００２】
一般に、通信システムで用いられる送信機においては、出力光パワーを大きくすることによって信号の信号対雑音比（ＳＮＲ：Ｓｉｇｎａｌ  Ｎｏｉｓｅ  Ｒａｔｉｏ）が確保される。光通信システムで使用される光送信機には、レーザを直接変調するものと外部変調器を用いるものがある。外部変調器を用いる光送信機においては、光源となるＬＤ（Ｌａｓｅｒ  Ｄｉｏｄｅ：レーザダイオード）の出力光パワー、外部変調器の損失、変調に伴う損失、ファイバなどのパッシブデバイスとその接続損などで出力光パワーが決まる。また、光源となるＬＤの出力光の波長を安定させる波長ロッカが開示されている（たとえば、下記特許文献１参照。）。
【先行技術文献】
【特許文献】
【０００３】
【特許文献１】特開２００８−５３５５５号公報
【発明の概要】
【発明が解決しようとする課題】
【０００４】
しかしながら、上述した従来技術では、変調器における挿入損失の低減はほぼ限界に達しており、ＬＤの出力光パワーの拡大も信頼性などから制約があるため、信号の信号対雑音比を確保することが困難であるという問題がある。たとえば、ＤＰ−ＱＰＳＫ（Ｄｕａｌ  Ｐｏｌａｒｉｚａｔｉｏｎ  Ｑｕａｄｒａｔｕｒｅ  Ｐｈａｓｅ  Ｓｈｉｆｔ  Ｋｅｙｉｎｇ）方式などを使用する場合は、ＬＤの出力光の合分波による損失が大きい。
【０００５】
具体的には、ＤＰ−ＱＰＳＫを使用する場合は、各偏波の信号光を生成するためにＬＤの出力光を２分岐するため、光のパワーが約３ｄＢ減少する。さらに、出力光を分岐するスプリッタの過剰損失分だけ、ＱＰＳＫ方式と比べても出力光パワーが減少する。
【０００６】
これに対して、各偏波の信号光を生成するためのＬＤを送信側に複数設けることで、各出力光のパワーを確保することも考えられる。しかしながら、複数のＬＤの各出力光の位相および周波数は完全に一致しないため、受信側で各偏波の信号光を受信することが困難であるという問題がある。
【０００７】
これに対して、たとえば受信側をホモダイン受信装置とし、受信側にＯＰＬＬ（Ｏｐｔｉｃａｌ  Ｐｈａｓｅ  Ｌｏｃｋｅｄ  Ｌｏｏｐ：光位相同期ループ）の構成を偏波ごとに設けることも考えられる。しかしながら、送信側の複数のＬＤに対応して受信側に複数のＯＰＬＬを設けると、装置が大型化し、装置のコストが増加するという問題がある。
【０００８】
開示の光伝送システムは、上述した問題点を解消するものであり、光伝送の品質を向上させることを目的とする。
【課題を解決するための手段】
【０００９】
上述した課題を解決し、目的を達成するため、この光伝送システムは、光送信装置および光受信装置を備え、前記光送信装置は、第一光源および第二光源と、前記第一光源からの光を変調する第一位相変調器と、前記第二光源からの光を変調する第二位相変調器と、前記第一位相変調器および前記第二位相変調器からの各出力光を偏波多重した信号光を出力する偏波多重器と、を備え、前記光受信装置は、局発部と、前記光送信装置から送信された前記信号光を偏波分離する偏波分離器と、前記第一位相変調器と前記第二位相変調器にそれぞれ対応する第一デジタルコヒーレント受信機および第二デジタルコヒーレント受信機と、を備え、前記第一デジタルコヒーレント受信機および前記第二デジタルコヒーレント受信機は、前記局発部からの光と前記偏波分離器により偏波分離された信号光とを混合することにより実部と虚部の電気信号を出力するフロントエンドと、前記フロントエンドが出力する実部と虚部の電気信号をデジタル信号に変換するアナログデジタル変換部と、前記デジタル信号について位相推定を行って信号を取り出すデジタル信号処理部と、を備えることを要件とする。
【００１０】
上記構成によれば、光送信装置に第一光源および第二光源を設けることで各偏波の信号光のパワーを確保するとともに、光受信装置のデジタルコヒーレント受信における各偏波の信号光ごとの位相推定によって、光送信装置における各光源の間の位相ずれを補償することができる。
【発明の効果】
【００１１】
開示の光伝送システムによれば、光伝送の品質を向上させることができるという効果を奏する。
【図面の簡単な説明】
【００１２】
【図１】実施の形態にかかる光伝送システムの構成を示す図である。
【図２】図１に示した光受信装置の構成例１を示すブロック図である。
【図３】光受信装置の具体的な構成例２を示す図である。
【図４】光受信装置の具体的な構成例３を示す図である。
【図５】図４に示したデジタル信号処理部における周波数制御の一例を示すフローチャートである。
【図６】光受信装置の具体的な構成例４を示す図である。
【図７】光受信装置の具体的な構成例５を示す図である。
【図８】デジタル信号処理部における位相差推定の機能的構成を示すブロック図である。
【図９】図１に示した光送信装置の他の構成例１を示す図である。
【図１０】図１に示した光送信装置の他の構成例２を示す図である。
【図１１】図１に示した光送信装置の他の構成例３を示す図である。
【図１２】図１に示した光送信装置の他の構成例４を示す図である。
【図１３】図１に示した光送信装置の他の構成例５を示す図である。
【図１４】図１に示した光送信装置の他の構成例６を示す図である。
【図１５】図１に示した光送信装置の他の構成例７を示す図である。
【図１６】図１に示した光送信装置の他の構成例８を示す図である。
【図１７】図１に示した光送信装置の他の構成例９を示す図である。
【図１８】図１に示した光送信装置の他の構成例１０を示す図である。
【図１９】図１に示した光送信装置の他の構成例１１を示す図である。
【図２０】図１に示した光送信装置の他の構成例１２を示す図である。
【発明を実施するための形態】
【００１３】
以下に添付図面を参照して、この光伝送システムの好適な実施の形態を詳細に説明する。この光伝送システムは、送信側にＬＤを複数設けることにより各偏波の信号光のＳＮＲを向上させるとともに、受信側で偏波ごとの位相推定を含むデジタルコヒーレント受信を行うことにより送信側における複数のＬＤ間の位相ずれを補償する。
【００１４】
（実施の形態）
（光伝送システムおよび光送信装置の構成）
図１は、実施の形態にかかる光伝送システムの構成を示す図である。図１に示すように、光伝送システム１０は、光送信装置１００と、光受信装置２００と、を含む光伝送システムである。光送信装置１００は、光伝送路１１を介して信号光を光受信装置２００へ送信する。図１においては光送信装置１００の構成について説明し、光受信装置２００の構成については後述する（たとえば図２，図９〜図２０参照）。
【００１５】
光送信装置１００は、ＬＤ１１０ａ（第一光源）と、光分岐部１２１ａと、波長ロッカ１２２ａと、偏波調節部１３０ａと、位相変調器１４０ａ（第一位相変調器）と、駆動部１５１ａと、駆動部１５２ａと、ＬＤ１１０ｂ（第二光源）と、光分岐部１２１ｂと、波長ロッカ１２２ｂと、偏波調節部１３０ｂと、位相変調器１４０ｂ（第二位相変調器）と、駆動部１５１ｂと、駆動部１５２ｂと、偏波多重器１６０と、を備えている。
【００１６】
ＬＤ１１０ａ、光分岐部１２１ａ、波長ロッカ１２２ａ、偏波調節部１３０ａ、位相変調器１４０ａ、駆動部１５１ａおよび駆動部１５２ａは、Ｘ偏波の出力光を生成する。ＬＤ１１０ｂ、光分岐部１２１ｂ、波長ロッカ１２２ｂ、偏波調節部１３０ｂ、位相変調器１４０ｂ、駆動部１５１ｂおよび駆動部１５２ｂは、Ｙ偏波の出力光を生成する。ここで、Ｘ偏波とＹ偏波は互いに直交する偏波である。
【００１７】
ＬＤ１１０ａは光を生成して光分岐部１２１ａへ出力する。また、ＬＤ１１０ａは、波長ロッカ１２２ａの制御によって生成する光の波長を変化させる。光分岐部１２１ａは、ＬＤ１１０ａから出力された光を分岐して、分岐した各光をそれぞれ波長ロッカ１２２ａおよび偏波調節部１３０ａへ出力する。波長ロッカ１２２ａ（ＷＬ：Ｗａｖｅｌｅｎｇｔｈ  Ｌｏｃｋｅｒ）は、光分岐部１２１ａから出力された光の波長を監視し、監視する波長が一定となるようにＬＤ１１０ａを制御する。
【００１８】
偏波調節部１３０ａ（ＰＣ：Ｐｏｌａｒｉｚａｔｉｏｎ  Ｃｏｎｔｒｏｌｌｅｒ）は、光分岐部１２１ａから出力された光の偏波をＸ偏波に調節する。偏波調節部１３０ａは、偏波を調節した光を位相変調器１４０ａへ出力する。位相変調器１４０ａは、偏波調節部１３０ａから出力された光を、駆動部１５１ａおよび駆動部１５２ａから出力される変調データに基づいて位相変調する。
【００１９】
具体的には、位相変調器１４０ａは、分岐部１４１ａと、Ｉアーム１４２ａと、Ｑアーム１４３ａと、干渉計１４４ａと、干渉計１４５ａと、位相シフタ１４６ａと、結合部１４７ａと、がＬＮ基板上に設けられて実現されている。分岐部１４１ａは、偏波調節部１３０ａから出力された光を分岐して、分岐した各光をそれぞれＩアーム１４２ａおよびＱアーム１４３ａへ出力する。
【００２０】
Ｉアーム１４２ａは、分岐部１４１ａから出力された光を通過させる。Ｉアーム１４２ａには干渉計１４４ａが設けられている。干渉計１４４ａは、Ｉアーム１４２ａを通過する光を分岐して結合する。また、干渉計１４４ａは、分岐した各光のうちの一方を、駆動部１５１ａから出力される変調データに基づいて位相変調する。干渉計１４４ａは、結合した光を結合部１４７ａへ出力する。
【００２１】
Ｑアーム１４３ａは、分岐部１４１ａから出力された光を通過させる。Ｑアーム１４３ａには干渉計１４５ａと位相シフタ１４６ａが設けられている。干渉計１４５ａは、Ｑアーム１４３ａを通過する光を分岐して結合する。また、干渉計１４５ａは、分岐した各光のうちの一方を、駆動部１５２ａから出力される変調データに基づいて位相変調する。干渉計１４５ａは、結合した光を位相シフタ１４６ａへ出力する。
【００２２】
位相シフタ１４６ａは、干渉計１４５ａから出力された光をπ／２遅延させ、遅延させた光を結合部１４７ａへ出力する。結合部１４７ａは、Ｉアーム１４２ａから出力された光と、Ｑアーム１４３ａから出力された光と、を結合する。結合部１４７ａは、結合した光を偏波多重器１６０へ出力する。位相変調器１４０ａから偏波多重器１６０へ出力される光はＸ偏波の信号光（ＱＰＳＫ変調）となる。
【００２３】
駆動部１５１ａは、Ｘ偏波のＩチャネル用の変調データを干渉計１４４ａへ出力する。駆動部１５２ａは、Ｘ偏波のＱチャネル用の変調データを干渉計１４４ａへ出力する。ここでは、駆動部１５１ａおよび駆動部１５２ａにはそれぞれシングルエンドで変調データが入力される。駆動部１５１ａは、変調データをシングルエンドで干渉計１４４ａへ出力する。駆動部１５２ａは、変調データをシングルエンドで干渉計１４５ａへ出力する。
【００２４】
ＬＤ１１０ｂ、光分岐部１２１ｂ、波長ロッカ１２２ｂ、偏波調節部１３０ｂ、位相変調器１４０ｂ、駆動部１５１ｂおよび駆動部１５２ｂは、それぞれＬＤ１１０ａ、光分岐部１２１ａ、波長ロッカ１２２ａ、偏波調節部１３０ａ、位相変調器１４０ａ、駆動部１５１ａおよび駆動部１５２ａと同様の構成であるため説明を省略する。ただし、偏波調節部１３０ｂは、光分岐部１２１ｂから出力された光の偏波をＹ偏波に調節する。また、位相変調器１４０ｂから出力される光はＹ偏波の信号光（ＱＰＳＫ変調）となる。
【００２５】
偏波多重器１６０（ＰＢＣ：Ｐｏｌａｒｉｚａｔｉｏｎ  Ｂｅａｍ  Ｃｏｍｂｉｎｅｒ）は、位相変調器１４０ａから出力されたＸ偏波の信号光と、位相変調器１４０ｂから出力されたＹ偏波の信号光と、を結合する。偏波多重器１６０は、結合した信号光（ＤＰ−ＱＰＳＫ）を出力する。偏波多重器１６０から出力された信号光は、光伝送路１１を介して光受信装置２００へ送信される。
【００２６】
なお、ここでは、ＬＤ１１０ａの前方光を光分岐部１２１ａによって分岐し、光分岐部１２１ａによって分岐した前方光を波長ロッカ１２２ａによって監視する構成としたが、ＬＤ１１０ａの後方光を波長ロッカ１２２ａによって監視する構成としてもよい。同様に、ＬＤ１１０ｂの後方光を波長ロッカ１２２ｂによって監視する構成としてもよい。この場合は、光分岐部１２１ａおよび光分岐部１２１ｂは省いた構成としてもよい。
【００２７】
（光受信装置の構成）
図２は、図１に示した光受信装置の構成例１を示すブロック図である。図２に示すように、光受信装置２００は、第一偏波分離器２１１と、局発部２１２と、第二偏波分離器２１３と、光ハイブリッド回路２２０ａ，２２０ｂと、差動光検出器２３１ａ，２３２ａ，２３１ｂ，２３２ｂと、ＴＩＡ２４１ａ，２４２ａ，２４１ｂ，２４２ｂと、ＧＣＡ２５１ａ，２５２ａ，２５１ｂ，２５２ｂと、アナログデジタル変換部２６１ａ，２６２ａ，２６１ｂ，２６２ｂと、デジタル信号処理部２７０と、識別部２８０と、を備えている。
【００２８】
第一偏波分離器２１１（ＰＢＳ：Ｐｏｌａｒｉｚａｔｉｏｎ  Ｂｅａｍ  Ｓｐｌｉｔｔｅｒｓ）には、光送信装置１００（図１参照）から送信された信号光が入力される。第一偏波分離器２１１は、入力された信号をＸ偏波とＹ偏波に偏波分離する。第一偏波分離器２１１は、偏波分離したＸ偏波の信号光を光ハイブリッド回路２２０ａへ出力し、偏波分離したＹ偏波の信号光を光ハイブリッド回路２２０ｂへ出力する。
【００２９】
局発部２１２（ＬＯ＿ＬＤ：Ｌｏｃａｌ  Ｏｓｃｉｌｌａｔｏｒ）は、一定の周波数の光を生成して第二偏波分離器２１３へ出力する。局発部２１２が出力する光には、Ｘ偏波の成分とＹ偏波の成分が含まれている。第二偏波分離器２１３は、局発部２１２から出力された光をＸ偏波とＹ偏波に偏波分離する。第二偏波分離器２１３は、偏波分離したＸ偏波の信号光を光ハイブリッド回路２２０ａへ出力し、偏波分離したＹ偏波の信号光を光ハイブリッド回路２２０ｂへ出力する。
【００３０】
光ハイブリッド回路２２０ａ、差動光検出器２３１ａ，２３２ａ、ＴＩＡ２４１ａ，２４２ａおよびＧＣＡ２５１ａ，２５２ａ、アナログデジタル変換部２６１ａ，２６２ａ、デジタル信号処理部２７０および識別部２８０は、位相変調器１４０ａに対応するイントラダイン構成の第一デジタルコヒーレント受信機である。
【００３１】
また、光ハイブリッド回路２２０ａ、差動光検出器２３１ａ，２３２ａ、ＴＩＡ２４１ａ，２４２ａおよびＧＣＡ２５１ａ，２５２ａは、Ｘ偏波の信号光の実部と虚部の電気信号を出力するＸ偏波のフロントエンドである。具体的には、Ｘ偏波のフロントエンドは、局発部２１２からのＸ偏波の光と、第一偏波分離器２１１からのＸ偏波の信号光と、を混合することにより実部と虚部の電気信号を出力する。
【００３２】
光ハイブリッド回路２２０ａ（９０°ＨＹＢＲＩＤ）は、第一偏波分離器２１１から出力された信号光と、第二偏波分離器２１３から出力された光と、を合成し、光位相が互いに９０°異なる２組の光を出力する。具体的には、光ハイブリッド回路２２０ａは、光位相が０°の光（Ｓ＋Ｒ）と光位相が１８０°の光（Ｓ−Ｒ）とを差動光検出器２３１ａへ出力する。また、光ハイブリッド回路２２０ａは、光位相が９０°の光（Ｓ＋ｊＲ）と光位相が２７０°の光（Ｓ−ｊＲ）とを差動光検出器２３２ａへ出力する。
【００３３】
差動光検出器２３１ａは、光ハイブリッド回路２２０ａから出力された光（Ｓ＋Ｒ）と光（Ｓ−Ｒ）とを受光して差動光電変換検出を行う。そして、差動光検出器２３１ａは、差動光電変換検出により得られた電気信号をＴＩＡ２４１ａへ出力する。差動光検出器２３２ａは、光ハイブリッド回路２２０ａから出力された光（Ｓ＋ｊＲ）と光（Ｓ−ｊＲ）とを受光して差動光電変換検出を行う。そして、差動光検出器２３２ａは、差動光電変換検出により得られた電気信号をＴＩＡ２４２ａへ出力する。
【００３４】
ＴＩＡ２４１ａ（ＴｒａｎｓＩｍｐｅｄａｎｃｅ  Ａｍｐｌｉｆｉｅｒ：インピーダンス変換増幅器）は、差動光検出器２３１ａから出力された電気信号を増幅してＧＣＡ２５１ａへ出力する。ＴＩＡ２４２ａは、差動光検出器２３２ａから出力された電気信号を増幅してＧＣＡ２５２ａへ出力する。
【００３５】
ＧＣＡ２５１ａ（Ｇａｉｎ  Ｃｏｎｔｒｏｌ  Ａｍｐｌｉｆｉｅｒ：利得可変増幅器）は、ＴＩＡ２４１ａから出力された電気信号の振幅を一定に制御し、振幅を制御した電気信号をアナログデジタル変換部２６１ａへ出力する。ＧＣＡ２５２ａは、ＴＩＡ２４２ａから出力された電気信号の振幅を一定に制御し、振幅を制御した電気信号をアナログデジタル変換部２６２ａへ出力する。
【００３６】
アナログデジタル変換部２６１ａ（ＡＤＣ：Ａｎａｌｏｇ／Ｄｉｇｉｔａｌ  Ｃｏｎｖｅｒｔｅｒ）は、ＧＣＡ２５１ａから出力されたアナログの電気信号をデジタル信号に変換し、変換したデジタル信号をデジタル信号処理部２７０へ出力する。アナログデジタル変換部２６２ａは、ＧＣＡ２５２ａから出力されたアナログの電気信号をデジタル信号に変換し、変換したデジタル信号をデジタル信号処理部２７０へ出力する。
【００３７】
デジタル信号処理部２７０（ＤＳＰ：Ｄｉｇｉｔａｌ  Ｓｉｇｎａｌ  Ｐｒｏｃｅｓｓｏｒ）は、アナログデジタル変換部２６１ａ，２６２ａから出力された各デジタル信号（Ｘ偏波の信号）について位相推定を行って信号を取り出す。デジタル信号処理部２７０は、取り出した信号を識別部２８０へ出力する。
【００３８】
光ハイブリッド回路２２０ｂ、差動光検出器２３１ｂ，２３２ｂ、ＴＩＡ２４１ｂ，２４２ｂおよびＧＣＡ２５１ｂ，２５２ｂ、アナログデジタル変換部２６１ｂ，２６２ｂ、デジタル信号処理部２７０および識別部２８０は、位相変調器１４０ｂに対応する第二デジタルコヒーレント受信機である。
【００３９】
また、光ハイブリッド回路２２０ｂ、差動光検出器２３１ｂ，２３２ｂ、ＴＩＡ２４１ｂ，２４２ｂおよびＧＣＡ２５１ｂ，２５２ｂは、Ｙ偏波の信号光の実部と虚部の電気信号を出力するＹ偏波のフロントエンドである。具体的には、Ｙ偏波のフロントエンドは、局発部２１２からのＹ偏波の光と、第一偏波分離器２１１からのＹ偏波の信号光と、を混合することにより実部と虚部の電気信号を出力する。
【００４０】
光ハイブリッド回路２２０ｂ、差動光検出器２３１ｂ，２３２ｂ、ＴＩＡ２４１ｂ，２４２ｂ、ＧＣＡ２５１ｂ，２５２ｂおよびアナログデジタル変換部２６１ｂ，２６２ｂの構成については、それぞれ光ハイブリッド回路２２０ａ，２２０ｂ、差動光検出器２３１ａ，２３２ａ、ＴＩＡ２４１ａ，２４２ａ、ＧＣＡ２５１ａ，２５２ａおよびアナログデジタル変換部２６１ａ，２６２ａと同様であるため説明を省略する。
【００４１】
デジタル信号処理部２７０は、アナログデジタル変換部２６１ｂ，２６２ｂから出力された各デジタル信号（Ｙ偏波の信号）について位相推定を行って信号を取り出し、取り出した信号を識別部２８０へ出力する。また、デジタル信号処理部２７０は、位相推定の他にも分散補償などの各種のデジタル処理を行うようにしてもよい。識別部２８０（ＤＥＣ）は、デジタル信号処理部２７０から出力された信号を識別し、識別結果を出力する。
【００４２】
図３は、光受信装置の具体的な構成例２を示す図である。図３において、図２に示した構成と同様の構成については同一の符号を付して説明を省略する。図３に示すように、光受信装置２００は、図２に示した構成に加えてＬＰＦ３１１ａ，３１２ａ，３１１ｂ，３１２ｂ（Ｌｏｗ  Ｐａｓｓ  Ｆｉｌｔｅｒ：ローパスフィルタ）を備えていてもよい。
【００４３】
ＬＰＦ３１１ａは、ＴＩＡ２４１ａからＬＰＦ３１１ａへ出力される電気信号の高調波成分を除去する。同様に、ＬＰＦ３１２ａ，３１１ｂ，３１２ｂは、それぞれ、ＴＩＡ２４２ａ，２４１ｂ，２４２ｂからＬＰＦ３１２ａ，３１１ｂ，３１２ｂへ出力される各電気信号の高調波成分を除去する。これにより、アナログデジタル変換部２６１ａ，２６２ａ，２６１ｂ，２６２ｂにおけるデジタル変換の精度を向上させることができる。
【００４４】
図４は、光受信装置の具体的な構成例３を示す図である。図４において、図２に示した構成と同様の構成については同一の符号を付して説明を省略する。図２に示した光受信装置２００の構成において、局発部２１２が、デジタル信号処理部２７０の制御によって出力する光の周波数を変化させる構成にしてもよい。
【００４５】
デジタル信号処理部２７０は、アナログデジタル変換部２６１ａ，２６２ａ，２６１ｂ，２６２ｂから出力された各デジタル信号に対するデジタル処理の結果に基づいて、局発部２１２が出力する光の周波数を制御する。これにより、局発部２１２が出力する光と信号光との周波数を精度よく一致させ、信号光の受信精度を向上させることができる。
【００４６】
図５は、図４に示したデジタル信号処理部における周波数制御の一例を示すフローチャートである。デジタル信号処理部２７０は、たとえば以下のような動作により局発部２１２の出力光の周波数を制御する。まず、アナログデジタル変換部２６１ａ，２６２ａから出力された各デジタル信号に基づいて、信号光のＸ偏波の周波数と局発部２１２の出力光との周波数ずれＤｘ（Ｘ偏波側周波数ずれ）を算出する（ステップＳ５０１）。
【００４７】
つぎに、アナログデジタル変換部２６１ｂ，２６２ｂから出力された各デジタル信号に基づいて、信号光のＹ偏波の周波数と局発部２１２の出力光との周波数ずれＤｙ（Ｙ偏波側周波数ずれ）を算出する（ステップＳ５０２）。つぎに、ステップＳ５０１によって算出された周波数ずれＤｘと、ステップＳ５０２によって算出された周波数ずれＤｙと、に基づいて周波数調整値を算出する（ステップＳ５０３）。
【００４８】
つぎに、ステップＳ５０３によって算出された周波数調整値に基づいて局発部２１２の出力光の周波数を調整し（ステップＳ５０４）、一連の動作を終了する。以上の動作を繰り返し行うことにより、局発部２１２の出力光の周波数を制御することができる。ステップＳ５０３においては、たとえば、周波数ずれＤｙと周波数ずれＤｙの平均（Ｄｘ＋Ｄｙ）／２を周波数調整値として算出する。
【００４９】
ここでは、デジタル信号処理部２７０が周波数ずれＤｘと周波数ずれＤｙを算出する例について説明したが、デジタル信号処理部２７０における周波数制御はこの方法に限られない。たとえば、デジタル信号処理部２７０は、アナログデジタル変換部２６１ａ，２６２ａから出力された各デジタル信号の品質Ｑｘを測定するとともに、アナログデジタル変換部２６１ｂ，２６２ｂから出力された各デジタル信号の品質Ｑｙを測定する。品質Ｑｘおよび品質Ｑｙは、たとえばＢＥＲ（Ｂｉｔ  Ｅｒｒｏｒ  Ｒａｔｅ）である。
【００５０】
そして、デジタル信号処理部２７０は、算出した品質Ｑｘと品質Ｑｙの和が大きくなるように周波数調整値を算出する。これにより、Ｘ偏波の信号光とＹ偏波の信号光とを最大の品質により受信することができる。または、デジタル信号処理部２７０は、算出した品質Ｑｘと品質Ｑｙの差分が小さくなるように周波数調整値を算出する。これにより、Ｘ偏波の信号光とＹ偏波の信号光とを均等な品質により受信することができる。
【００５１】
図６は、光受信装置の具体的な構成例４を示す図である。図６において、図２に示した構成と同様の構成については同一の符号を付して説明を省略する。図６に示すように、光受信装置２００は、図２に示した局発部２１２および第二偏波分離器２１３に代えて、局発部６１０ａと局発部６１０ｂとを備える構成としてもよい。
【００５２】
局発部６１０ａは、Ｘ偏波の光を生成して光ハイブリッド回路２２０ａへ出力する。局発部６１０ｂは、Ｙ偏波の光を生成して光ハイブリッド回路２２０ｂへ出力する。これにより、光ハイブリッド回路２２０ａおよび光ハイブリッド回路２２０ｂのそれぞれに対して十分なパワーの光を供給することができる。
【００５３】
図７は、光受信装置の具体的な構成例５を示す図である。図７において、図６に示した構成と同様の構成については同一の符号を付して説明を省略する。図６に示した光受信装置２００の構成において、局発部６１０ａと局発部６１０ｂのそれぞれが、デジタル信号処理部２７０の制御によって出力する光の周波数を変化させる構成にしてもよい。
【００５４】
デジタル信号処理部２７０は、アナログデジタル変換部２６１ａ，２６２ａから出力された各デジタル信号に対するデジタル処理の結果に基づいて、局発部６１０ａが出力する光の周波数を制御する。たとえば、デジタル信号処理部２７０は、アナログデジタル変換部２６１ａ，２６２ａから出力された各デジタル信号に基づいて、信号光のＸ偏波の周波数と局発部６１０ａの出力光との周波数ずれＤｘを算出する。そして、デジタル信号処理部２７０は、算出した周波数ずれＤｘが小さくなるように局発部６１０ａを制御する。
【００５５】
また、デジタル信号処理部２７０は、アナログデジタル変換部２６１ｂ，２６２ｂから出力された各デジタル信号に基づいて、信号光のＹ偏波の周波数と局発部６１０ｂの出力光との周波数ずれＤｙを算出する。そして、デジタル信号処理部２７０は、算出した周波数ずれＤｙが小さくなるように局発部６１０ｂを制御する。これにより、局発部６１０ａおよび局発部６１０ｂに対してそれぞれ最適な波長の光を供給することができる。このため、局発部６１０ａおよび局発部６１０ｂが出力する光と、信号光の各偏波と、の周波数を精度よく一致させ、信号光の受信精度を向上させることができる。
【００５６】
（位相差推定の機能的構成）
図８は、デジタル信号処理部における位相差推定の機能的構成を示すブロック図である。図２〜図７に示したデジタル信号処理部２７０は、偏角演算部８１０と、乗算部８２０と、位相差推定部８３０と、平均化部８４０と、復調部８５０と、を備えている。ここでは、光受信装置２００が受信した信号光のＸ偏波の信号光に関する位相差推定について説明するが、信号光のＹ偏波の信号光に関する位相差推定についても同様である。
【００５７】
アナログデジタル変換部２６１ａおよびアナログデジタル変換部２６２ａから出力された各デジタル信号は、偏角演算部８１０および乗算部８２０のそれぞれへ入力される。偏角演算部８１０は、入力されたデジタル信号の偏角成分を算出して復調部８５０へ出力する。乗算部８２０は、入力されたデジタル信号が示す電界を４乗し、乗算結果を位相差推定部８３０へ出力する。
【００５８】
位相差推定部８３０は、乗算部８２０から出力された乗算結果に基づいて、第一偏波分離器２１１から出力された信号光と、第二偏波分離器２１３から出力された光と、の位相差を推定する。位相差推定部８３０は、推定した位相差を平均化部８４０へ出力する。平均化部８４０は、位相差推定部８３０から出力された位相差を４で除算することで平均化し、平均化した位相差を復調部８５０へ出力する。
【００５９】
復調部８５０は、偏角演算部８１０から出力された偏角成分と、平均化部８４０から出力された位相差と、に基づいてデジタル信号の復調を行う。なお、乗算部８２０において乗算する値および平均化部８４０において除算する値は、光受信装置２００が受信する信号光の変調方式に応じて決定する。ここでは、光受信装置２００が受信する信号光の変調方式がＱＰＳＫであるため、乗算部８２０において電界を４乗し、平均化部８４０において位相差を４で除算する構成となっている。
【００６０】
（光送信装置の構成）
図９は、図１に示した光送信装置の他の構成例１を示す図である。図９において、図１に示した構成と同様の構成については同一の符号を付して説明を省略する。図９に示すように、光送信装置１００は、図１に示した構成に加えてパワーモニタ９２１ａ，９２１ｂと、パワー制御部９２２ａ，９２２ｂと、を備えていてもよい。
【００６１】
ＬＤ１１０ａは、パワー制御部９２２ａの制御によって出力する光のパワーを変化させる。パワーモニタ９２１ａは、結合部１４７ａから出力される信号光のパワーをモニタし、モニタしたパワーをパワー制御部９２２ａへ出力する。パワー制御部９２２ａは、パワーモニタ９２１ａから出力されたパワーが一定になるようにＬＤ１１０ａを制御する。
【００６２】
ＬＤ１１０ｂは、パワー制御部９２２ｂの制御によって出力する光のパワーを変化させる。パワーモニタ９２１ｂは、結合部１４７ｂから出力される信号光のパワーをモニタし、モニタしたパワーをパワー制御部９２２ｂへ出力する。パワー制御部９２２ｂは、パワーモニタ９２１ｂから出力されたパワーが一定になるようにＬＤ１１０ｂを制御する。
【００６３】
このように、位相変調器１４０ａによって生成されるＸ偏波の信号光と、位相変調器１４０ｂによって生成されるＹ偏波の信号光と、のパワーを監視し、監視するパワーが一定になるようにＬＤ１１０ａおよびＬＤ１１０ｂのそれぞれを制御する。これにより、光送信装置１００から送信される信号光（ＤＰ−ＱＰＳＫ）のパワーを安定させることができる。また、光送信装置１００から送信される信号光に含まれる各偏波の信号光のパワーを均等にすることができる。
【００６４】
図１０は、図１に示した光送信装置の他の構成例２を示す図である。図１０において、図１に示した構成と同様の構成については同一の符号を付して説明を省略する。図１０に示すように、光送信装置１００は、図１に示した構成において偏波調節部１３０ａを省いた構成としてもよい。この場合は、ＬＤ１１０ａがＸ偏波の光を出力するようにする。
【００６５】
同様に、図示しないが、光送信装置１００は、図１に示した構成において偏波調節部１３０ｂを省いた構成としてもよい。この場合は、ＬＤ１１０ｂがＹ偏波の光を出力するようにする。このように、位相変調器１４０ａおよび位相変調器１４０ｂによって生成する各信号光を偏波多重するための構成は、図１に示した構成に限られない。
【００６６】
図１１は、図１に示した光送信装置の他の構成例３を示す図である。図１１において、図１に示した構成と同様の構成については同一の符号を付して説明を省略する。図１１に示すように、光送信装置１００は、図１に示した構成において、偏波調節部１３０ａおよび偏波調節部１３０ａをそれぞれ位相変調器１４０ａおよび位相変調器１４０ｂの後段に設ける構成にしてもよい。このように、位相変調器１４０ａおよび位相変調器１４０ｂによって生成する各信号光を偏波多重するための構成は、図１に示した構成に限られない。
【００６７】
図１２は、図１に示した光送信装置の他の構成例４を示す図である。図１２において、図１１に示した構成と同様の構成については同一の符号を付して説明を省略する。図１２に示すように、光送信装置１００は、図１１の構成において、偏波調節部１３０ａを省いた構成としてもよい。この場合は、ＬＤ１１０ａがＸ偏波の光を出力するようにする。
【００６８】
同様に、図示しないが、光送信装置１００は、図１１に示した構成において偏波調節部１３０ｂを省いた構成としてもよい。この場合は、ＬＤ１１０ｂがＹ偏波の光を出力するようにする。このように、位相変調器１４０ａおよび位相変調器１４０ｂによって生成する各信号光を偏波多重するための構成は、図１に示した構成に限られない。
【００６９】
図１３は、図１に示した光送信装置の他の構成例５を示す図である。図１３において、図１２に示した構成と同様の構成については同一の符号を付して説明を省略する。図１３に示すように、光送信装置１００は、図１２に示した偏波調節部１３０ｂに代えて１／２波長板１３１０（ＨＷＰ：Ｈａｌｆ  Ｗａｖｅ  Ｐｌａｔｅ）を備える構成としてもよい。１／２波長板１３１０は、位相変調器１４０ｂから偏波多重器１６０へ出力される信号光をＹ偏波にする。
【００７０】
また、図示しないが、位相変調器１４０ａと偏波多重器１６０との間に、信号光をＸ偏波にする１／２波長板を設ける構成としてもよい。また、光分岐部１２１ｂと位相変調器１４０ｂとの間に１／２波長板１３１０を設ける構成としてもよい。また、光分岐部１２１ｂと位相変調器１４０ｂとの間に１／２波長板１３１０を設け、光分岐部１２１ａと位相変調器１４０ａとの間に光をＸ偏波にする１／２波長板を設ける構成としてもよい。
【００７１】
図１４は、図１に示した光送信装置の他の構成例６を示す図である。図１４において、図１３に示した構成と同様の構成については同一の符号を付して説明を省略する。図１４に示すように、光送信装置１００の駆動部１５１ａは、図１３に示した構成において、変調データを差動信号で干渉計１４４ａへ出力する。具体的には、駆動部１５１ａは、差動信号の各信号を、それぞれ干渉計１４４ａの各アームに出力する。同様に、駆動部１５２ａ，１５１ｂ，１５２ｂは、それぞれ、変調データを差動信号で干渉計１４５ａ，１４４ｂ，１４５ｂへ出力する。
【００７２】
干渉計１４４ａは、駆動部１５１ａから出力された差動信号に基づいてＩアーム１４２ａを通過する光を変調する。具体的には、干渉計１４４ａは、分岐した各光のうちの一方を駆動部１５１ａから出力される差動信号の一方に基づいて位相変調するとともに、分岐した各光のうちの他方を駆動部１５１ａから出力される差動信号の他方に基づいて位相変調する。同様に、干渉計１４５ａ，１４４ｂ，１４５ｂは、それぞれ、駆動部１５２ａ，１５１ｂ，１５２ｂから出力された差動信号に基づいてＱアーム１４３ａ、Ｉアーム１４２ｂ、Ｑアーム１４３ｂを通過する光を変調する。このように、変調データを供給する構成は、図１に示した構成に限られない。
【００７３】
図１５は、図１に示した光送信装置の他の構成例７を示す図である。図１５において、図１４に示した構成と同様の構成については同一の符号を付して説明を省略する。図１５に示すように、光送信装置１００の駆動部１５１ａ，１５２ａ，１５１ｂ，１５２ｂのそれぞれには、図１４に示した構成において、変調データが差動信号によって入力される。このように、変調データを供給する構成は、図１に示した構成に限られない。
【００７４】
図１６は、図１に示した光送信装置の他の構成例８を示す図である。図１６において、図１３に示した構成と同様の構成については同一の符号を付して説明を省略する。図１６に示すように、光送信装置１００は、図１３に示した構成において、位相変調器１４０ａと、位相変調器１４０ｂと、１／２波長板１３１０と、偏波多重器１６０と、がＬＮ基板１６１０上に設けられて実現されていてもよい。このように、光送信装置１００の各部を集積する構成については、図１に示した構成に限られない。
【００７５】
図１７は、図１に示した光送信装置の他の構成例９を示す図である。図１７において、図１３に示した構成と同様の構成については同一の符号を付して説明を省略する。図１７に示すように、光送信装置１００は、図１３に示した構成に加えてＲＺ変調器１７１０と駆動部１７２０とを備えていてもよい。偏波多重器１６０は、結合した信号光をＲＺ変調器１７１０へ出力する。ＲＺ変調器１７１０は、偏波多重器１６０から出力された信号光をＲＺ（Ｒｅｔｕｒｎ  ｔｏ  Ｚｅｒｏ）パルス化する。
【００７６】
具体的には、ＲＺ変調器１７１０には干渉計１７１１が設けられている。干渉計１７１１は、ＲＺ変調器１７１０を通過する光を分岐して結合する。また、干渉計１７１１は、分岐した各光のうちの一方を、駆動部１７２０から出力されるクロック信号に基づいて位相変調する。干渉計１７１１は、結合した光を後段へ出力する。これにより、ＲＺ変調器１７１０から出力される信号光がＲＺパルス化される。信号光をＲＺパルス化することによって、光受信装置２００における信号光の受信精度を向上させることができる。駆動部１７２０は、ＲＺ変調器１７１０へクロック信号を出力する。
【００７７】
図１８は、図１に示した光送信装置の他の構成例１０を示す図である。図１８において、図１３に示した構成と同様の構成については同一の符号を付して説明を省略する。図１８に示すように、光送信装置１００は、図１３に示した構成に加えてＲＺ変調器１８１０ａ，１８１０ｂと駆動部１８２０ａ，１８２０ｂとを備えていてもよい。
【００７８】
ＲＺ変調器１８１０ａは、光分岐部１２１ａから出力された光をＲＺパルス化し、ＲＺパルス化した光を位相変調器１４０ａへ出力する。ＲＺ変調器１８１０ｂは、光分岐部１２１ｂから出力された光をＲＺパルス化し、ＲＺパルス化した光を位相変調器１４０ｂへ出力する。駆動部１８２０ａは、ＲＺ変調器１８１０ａへクロック信号を出力する。駆動部１８２０ｂは、ＲＺ変調器１８１０ｂへクロック信号を出力する。
【００７９】
ＲＺ変調器１８１０ａおよびＲＺ変調器１８１０ｂによる光のＲＺパルス化については、図１７に示したＲＺ変調器１７１０による信号光のＲＺパルス化と同様であるため説明を省略する。図１８に示した構成により、位相変調器１４０ａおよび位相変調器１４０ｂによって生成される各信号光がＲＺパルス化される。これにより、偏波多重器１６０から出力される信号光（ＤＰ−ＱＰＳＫ）をＲＺパルス化することができる。
【００８０】
図１９は、図１に示した光送信装置の他の構成例１１を示す図である。図１９において、図１８に示した構成と同様の構成については同一の符号を付して説明を省略する。図１９に示すように、光送信装置１００は、図１８に示した構成において、ＲＺ変調器１８１０ａと駆動部１８２０ａとが位相変調器１４０ａと偏波多重器１６０との間に設けられていてもよい。また、ＲＺ変調器１８１０ｂと駆動部１８２０ｂとが位相変調器１４０ｂと偏波多重器１６０との間に設けられていてもよい。
【００８１】
この構成においても、偏波多重器１６０から出力される信号光（ＤＰ−ＱＰＳＫ）をＲＺパルス化することができる。また、図１９においては、１／２波長板１３１０が光分岐部１２１ｂと位相変調器１４０ｂとの間に設けられている。これに対して、１／２波長板１３１０を設ける位置は、位相変調器１４０ｂとＲＺ変調器１８１０ｂとの間でもよいし、ＲＺ変調器１８１０ｂと偏波多重器１６０との間でもよい。
【００８２】
図２０は、図１に示した光送信装置の他の構成例１２を示す図である。図２０において、図１８に示した構成と同様の構成については同一の符号を付して説明を省略する。図２０に示すように、光送信装置１００は、図１８に示したＲＺ変調器１８１０ａと駆動部１８２０ａに代えてＥＡ変調器２０１０ａ（Ｅｌｅｃｔｒｏ  Ａｂｓｏｒｐｔｉｏｎ）を備えていてもよい。また、光送信装置１００は、図１８に示したＲＺ変調器１８１０ｂと駆動部１８２０ｂに代えてＥＡ変調器２０１０ｂを備えていてもよい。
【００８３】
ＥＡ変調器２０１０ａには、光分岐部１２１ａから出力された光とクロック信号とが入力される。ＥＡ変調器２０１０ａは、入力されたクロック信号に応じて光を強度変調する。これにより、光がＲＺパルス化される。ＥＡ変調器２０１０ａは、ＲＺパルス化した光を位相変調器１４０ａへ出力する。同様に、ＥＡ変調器２０１０ｂも、光分岐部１２１ｂから出力された光をＲＺパルス化して位相変調器１４０ｂへ出力する。
【００８４】
このように、Ｘ偏波およびＹ偏波の各光を生成するためにそれぞれＬＤ１１０ａおよびＬＤ１１０ｂを設けることで、各光のパワーを十分に確保することができる。このため、各光をＲＺパルス化する変調器にＥＡ変調器を適用しても、ＲＺパルス化を精度よく行うことができる。ＥＡ変調器を適用することで、各光をＲＺパルス化する変調器を小型化することができるため、光送信装置１００の小型化を図ることができる。
【００８５】
以上説明したように、光伝送システム１０によれば、光送信装置１００に複数のＬＤ（ＬＤ１１０ａおよびＬＤ１１０ｂ）を設け、複数のＬＤの各出力光により各偏波の信号光を生成する。これにより、スプリッタなどでＬＤの出力光を分岐しなくても各偏波の信号光を生成することができるため、各偏波の信号光のパワーを十分に確保し、各偏波の信号光のＳＮＲを向上させることができる。
【００８６】
また、ＬＤ１１０ａの波長を一定に制御する波長ロッカ１２２ａ（第一波長ロッカ）と、ＬＤ１１０ｂの波長を一定に制御する波長ロッカ１２２ｂ（第二波長ロッカ）と、を光送信装置１００に設けることで、ＬＤ１１０ａとＬＤ１１０ｂとの間の周波数ずれを光送信装置１００側において小さくすることができる。ただし、ＬＤ１１０ａとＬＤ１１０ｂの周波数が十分に安定している場合は、光送信装置１００から波長ロッカ１２２ａおよび波長ロッカ１２２ｂを省いた構成にしてもよい。
【００８７】
また、光受信装置２００を、各偏波の信号光ごとの位相推定を含むデジタルコヒーレント受信を行うイントラダイン構成とすることにより、光送信装置１００における各ＬＤの間の位相ずれを光受信装置２００において補償することができる。これにより、光受信装置２００において、各偏波の信号光のそれぞれに対応するＯＰＬＬを設けなくても信号光を精度よく受信することができる。このため、光受信装置２００を大型化しなくても、光送信装置１００から光受信装置２００への光伝送の品質を向上させることができる。
【００８８】
たとえば、図２〜図４に示す構成のように、光受信装置２００において、各偏波の信号光に対して１つの局発部（局発部２１２）を設けた構成であっても信号光を精度よく受信することができる。また、光受信装置２００に１つの局発部２１２を設ける構成においては、たとえば図４，図５に示したように局発部２１２からの光と第一偏波分離器２１１によって偏波分離された各信号光との周波数ずれを算出する。そして、算出された各周波数ずれに基づいて局発部２１２からの光の周波数を制御することで、各偏波の信号光の周波数ずれをある程度補償することができる。
【００８９】
または、光受信装置２００に１つの局発部２１２を設ける構成において、第一偏波分離器２１１によって偏波分離された各信号光の品質を測定する。そして、測定された各品質の和が大きくなるように局発部２１２からの光の周波数を制御することで、各偏波の信号光を最大の品質により受信することができる。または、測定された各品質の差分が小さくなるように局発部２１２からの光の周波数を制御することで、各偏波の信号光を均等な品質により受信することができる。
【００９０】
また、たとえば図９に示した光送信装置１００のように、位相変調器１４０ａおよび位相変調器１４０ｂの各出力光のパワーをモニタし、モニタした各パワーに基づいてＬＤ１１０ａおよびＬＤ１１０ｂの各出力光のパワーを制御する構成としてもよい。これにより、光送信装置１００において各偏波の信号光を生成する各部の光損失のばらつきを光送信装置１００側で小さくすることができる。これにより、各偏波の信号光のパワーを均一にし、それによって各偏波の信号光のＳＮＲを均一にすることができる。
【００９１】
なお、上述した実施の形態においては、光送信装置１００の位相変調器としてＱＰＳＫ方式の変調器（位相変調器１４０ａおよび位相変調器１４０ｂ）を設ける構成について説明したが、位相変調器はＱＰＳＫ方式のものに限られない。たとえば、光送信装置１００の位相変調器としてＤＱＰＳＫ（Ｄｉｆｆｅｒｅｎｔｉａｌ  ＱＰＳＫ）やＢＰＳＫ（Ｂｉｎａｒｙ  ＰＳＫ）方式の変調器を設ける構成としてもよい。
【符号の説明】
【００９２】
１０  光伝送システム
１１  光伝送路
１２１ａ，１２１ｂ  光分岐部
１２２ａ，１２２ｂ  波長ロッカ
１３０ａ，１３０ｂ  偏波調節部
１４０ａ，１４０ｂ  位相変調器
１４１ａ，１４１ｂ  分岐部
１４２ａ，１４２ｂ  Ｉアーム
１４３ａ，１４３ｂ  Ｑアーム
１４４ａ，１４４ｂ，１４５ａ，１４５ｂ，１７１１  干渉計
１４６ａ，１４６ｂ  位相シフタ
１４７ａ，１４７ｂ  結合部
１５１ａ，１５１ｂ，１５２ａ，１５２ｂ，１７２０，１８２０ａ，１８２０ｂ  駆動部
１６０  偏波多重器
２１１  第一偏波分離器
２１２，６１０ａ，６１０ｂ  局発部
２１３  第二偏波分離器
２２０ａ，２２０ｂ  光ハイブリッド回路
２３１ａ，２３１ｂ，２３２ａ，２３２ｂ  差動光検出器
２６１ａ，２６１ｂ，２６２ａ，２６２ｂ  アナログデジタル変換部
２７０  デジタル信号処理部
２８０  識別部
８１０  偏角演算部
８２０  乗算部
８４０  平均化部
１３１０  １／２波長板
１６１０  ＬＮ基板
１７１０，１８１０ａ，１８１０ｂ  ＲＺ変調器
２０１０ａ，２０１０ｂ  ＥＡ変調器
【図１】
2010251851.tif 000003
【図２】
2010251851.tif 000004
【図３】
2010251851.tif 000005
【図４】
2010251851.tif 000006
【図５】
2010251851.tif 000007
【図６】
2010251851.tif 000008
【図７】
2010251851.tif 000009
【図８】
2010251851.tif 000010
【図９】
2010251851.tif 000011
【図１０】
2010251851.tif 000012
【図１１】
2010251851.tif 000013
【図１２】
2010251851.tif 000014
【図１３】
2010251851.tif 000015
【図１４】
2010251851.tif 000016
【図１５】
2010251851.tif 000017
【図１６】
2010251851.tif 000018
【図１７】
2010251851.tif 000019
【図１８】
2010251851.tif 000020
【図１９】
2010251851.tif 000021
【図２０】
2010251851.tif 000022